(57)【要約】【課題】ギフトカ−ドとしての価値を携帯電話などでその情報を読み込むことにより小額決済の窓口に移行することができ、その価値を小額決済の窓口で使うことが可能になる。【解決手段】従来のギフトカ−ドの同じ印刷面に、その価値の情報をＱＲコードやバーコードなどを印刷配置した選択式ギフトカード１とする。上表紙４を２の状態のように開かないときは従来通りのギフトカ−ドとして使用することが出来る。上表紙４を開き３の開かれた状態になったとき、読み取りのためのＱＲコードやバーコードなどの情報コ−ド５を確認することができ、小額決済機能がついた携帯電話などでそれを読み取ることができる。また上表紙４は外面的にそのギフトカ−ドの価値が小額決済に移行された状態を判別する手段にもなる。【選択図】図１
0003135085.tif 000002
【実用新案登録請求の範囲】
【請求項１】
百貨店、スーパ−などの商品券又は図書券などのギフトカ−ドにＱＲコードやバーコードなどを用いて、その価値の情報を同じ印刷面に配置する、それを小額決済機能のついた携帯電話の端末機などで読み取ることで、小額決済の窓口にその価値を移行ができるギフトカ−ド。
【考案の詳細な説明】
【技術分野】
【０００１】
本考案は、その価値の使い方をギフトカ−ドの同じ紙面上にある情報をもとに、従来通りの使い方、あるいは小額決済機能のついた携帯電話などの端末機で使用するかを選択できるギフトカ−ドに関するものである。
【背景技術】
【０００２】
百貨店やスーパ−の商品券又は図書券は贈りものとしてのイメ−ジが強く実際に自分で購入して、それを使用するイメ−ジは考えにくいものである。
また贈答品として大小様々な物を選びそれを贈るよりも、その様なギフト券で贈る方が贈られた側もそれを好みの商品の購入に使うことが出来るという合理性からギフトカ−ドとして存在していたものである。
【０００３】
また、物を購入するとき現金を使わずにICカ−ドやICを携帯電話などに組み込んだ小額決済用の媒体で決済する方法が広がり始め、用途も多種多様で使用することができ、さらに財布を取り出す手間やおつりを受け取る動作がなくなり、決済が簡単になった。それぞれ決済の方法は違うが、それを行う手段として確立していた。
【０００４】
しかしギフトカ−ドの使い道は、ほとんどその販路から離れることがなく、使える用途が限定されている存在であった。
また一方の小額決済用の媒体を使うとき、それぞれの運営している会社の所定の方法で金額を充当することにより、はじめてそれを使うことが出来た。
その小額決済用の窓口の中には現金をギフトとして、その価値を贈る方法があった。
しかし相手がその仕組みを利用していないと、それを受け取ることが出来ずギフトカードのように簡単に人から人に贈ることが出来ないという欠点があった。
しかし、小額決済の方法は手軽に使えることができ、時間も節約できる要素があり
この方法は、拡大傾向にある。
【０００５】
そのお互いが持っているギフトカ−ドの贈答性と小額決済の簡便性が結びつくことにより長所、欠点がその要素により利便性が重視される新しいギフトカ−ドとして考えられるので、さらにそのままギフトカ−ドとして今まで通り使うことができ、小額決済の窓口を利用するか、任意でどちらかを選ぶことが出来ると考えた。
【０００６】
この仕組みとしてギフトカ−ドと同じ紙面上にＱＲコードやバーコードなどを配置し、任意でそれを読み取ることで、小額決済の窓口にその商品価値を移行することにより携帯電話などで、それを使うことが出来ると考えた。
【考案の開示】
【考案が解決しようとする課題】
【０００７】
この考案が解決しようとしていることは、ギフトカ−ドとしての販路の制約を拡げる点と、それを利用することにより、小額決済の窓口へギフトとして贈るための手段である。
【課題を解決するための手段】
【０００８】
本考案は、ＱＲコードやバーコードなどを読み取る前は従来通りのギフトカ−ドとしての価値が残りそのまま使うことが出来る。
そのギフトカ−ドと同じ紙面に記載された情報を読み取ることにより、その価値が小額決済の窓口に移行され、それを携帯電話などの端末での決済に使うことが出来る。
またギフトカ−ドとしての価値は移行された時点でなくなり、それを従来通りのギフト券として使うことが出来なくなる。
【考案の効果】
【０００９】
本考案の選択式ギフトカ−ドは、贈り主がこれを選ぶことにより贈られた側のギフトカ−ドとしての使い方の選択肢が増える。従来通りのギフトカ−ドとして利用する機会の多い人はこのまま利用が出来る、またそのギフトカ−ドとしての価値を同じ紙面に印刷されたＱＲコードやバーコードなどの情報をもとに小額決済機能のついた携帯電話などの端末機で読み取ることにより、小額決済の窓口を利用することが出来る利点がある。
【考案を実施するための最良の形態】
【００１０】
ギフトカ−ドの紙面上に、その価値をＱＲコードやバーコードなどで読み取るための情報を記載することが必要である。またその情報が簡単に読み取れる記載の方法では第三者が読み取ることが出来るため、情報の記載された部分は通常折込まれ閉じた状態でなければならない。その価値を小額決済に移行するときに任意でその部分を開くことにより、初めて記載された内容がわかり読み込むことが出来る形態にする。またその部分を開くことにより、そのギフトカ−ドの価値が小額決済に移行された状態と外面的に判るため、それを従来通りのギフトカ−ドとして使うことが出来なくなる。
【実施例１】
【００１１】
図１は、本考案の選択式ギフトカ−ドの1本体であって、２及び３は小額決済の窓口の移行を選択したときの状態である。  
【００１２】
上表紙４は、従来通りのギフトカ−ドとして選択した場合その情報は必要にならないため通常隠れた状態にするための上表紙である、またその状態では簡単に情報を読み取ることが出来ないため、第三者への情報の漏洩を防ぐことが出来る。
【００１３】
上表紙４を６の方法で開くことにより、読み取りのためのＱＲコードやバーコードの情報コード５を確認することができ、それを携帯電話などの端末で読み取ることが出来る。その後はじめてギフトカ−ドの価値は読み取り先の小額決済の窓口へと移行する。また上表紙4が開いた状態３のときは、外面的にそのギフトカ−ドの価値が小額決済に移行された状態を判別する手段にもなる。
【００１４】
選択式ギフトカ−ド本体1のとき本体紙面にもギフトカ−ドとしての情報を配置記入することにより、ギフトカ−ドとして使用したときに小売店などがその価値が移行した状態であるか否かを確認できるようにする。また情報コ−ド５を通常隠れた状態にするための上表紙４についての展開方法は展開方法６以外の方法でも本来情報コ−ド５を隠すためのものに利用するため、その方法については任意に推敲することができる。
【産業上の利用可能性】
【００１５】
ギフトカ−ドに小額決済の窓口に移行する手段が増えることによりギフトカ−ドとしての用途が広がり、よりギフトカ−ドの利便性が向上するものと考えられる。そして今まで通りの使い方が出来るためギフトカ−ドとしての存在は失うこともないと考えられる。また小額決済の窓口もギフトカ−ドの販路やその仕組みを利用することにより、販路の拡大やギフトとしての贈答性を手に入れることが出来る。
【図面の簡単な説明】
【００１６】
【図１】選択式ギフトカードの実施方法を示した説明図である。
【符号の説明】
【００１７】
１    選択式ギフトカ−ド本体
２    情報記入欄を開いたとき
３    情報記入欄が開かれた状態
４    情報記入欄の上表紙
５    読み取りのための情報コ−ド
６    展開の方法
【図１】
0003135085.tif 000003
【手続補正書】
【提出日】平成19年6月25日(2007.6.25)
【手続補正１】
【補正対象書類名】実用新案登録請求の範囲
【補正対象項目名】全文
【補正方法】変更
【補正の内容】
【実用新案登録請求の範囲】
【請求項１】
百貨店、スーパ−などの商品券又は図書券などのギフトカ−ドにＱＲコードやバーコードなどを用いて、その価値の情報を同じ紙面に上表紙の下に通常は見えないように印刷配置する、それを小額決済機能のついた携帯電話の端末機などを用いて上表紙を外し読み取ることで、小額決済の窓口にその価値の移行ができる、使い方の選択が出来るギフトカ−ド。